(57)【要約】【課題】  使用者固有の印字データと印字条件設定を簡単な構成で設定できるインクジェット記録装置を提供する。【解決手段】  インクを噴出して粒子化するノズルと、インク粒子に帯電電圧を掛けて帯電させる帯電電極と、帯電したインク粒子を偏向させる偏向電極と、印字に使用しないインク粒子を回収するガターを有する印字ヘッドと、印字データと印字条件設定値を記憶する記憶部と、印字データと印字条件設定値を表示する表示部と、外部記憶媒体から情報を読み取るデータ読取装置と、記憶部から読み出した印字データと印字条件設定値に基づき印字ヘッドで対象物に印字を行うように制御する制御部を有するインクジェット記録装置であって、制御部は、データ読取装置で読み取った情報を元に利用者を識別し、識別された利用者固有の印字データと印字条件となるように記憶部からデータを読み出し制御する構成とした。【選択図】図４
2017052172.tif 000002
【特許請求の範囲】
【請求項１】
インクを噴出して粒子化するノズルと、インク粒子に帯電電圧を掛けて帯電させる帯電電極と、帯電したインク粒子を偏向させる偏向電極と、印字に使用しないインク粒子を回収するガターを有する印字ヘッドと、印字データと印字条件設定値を記憶する記憶部と、印字データと印字条件設定値を表示する表示部と、外部記憶媒体から通信手段により情報を読み取るデータ読取装置と、前記記憶部から読み出した印字データと印字条件設定値に基づき前記印字ヘッドで対象物に印字を行うように制御する制御部を有するインクジェット記録装置であって、
前記制御部は、前記データ読取装置で読み取った情報を元に利用者を識別し、識別された利用者固有の印字データと印字条件となるように前記記憶部からデータを読み出し制御することを特徴とするインクジェット記録装置。
【請求項２】
請求項１に記載のインクジェット記録装置であって、
前記制御部は、前記データ読取装置で読み取った情報を元に、識別された利用者が前回インクジェット記録装置を動作させた時に編集していた印字データを表示することを特徴とするインクジェット記録装置。
【請求項３】
請求項１に記載のインクジェット記録装置であって、
前記制御部は、前記データ読取装置で読み取った情報を元に、識別された利用者が使用していた印刷条件を設定することを特徴とするインクジェット記録装置。
【請求項４】
請求項１に記載のインクジェット記録装置であって、
前記制御部は、前記データ読取装置で読み取った情報を元に、識別された対象者の使用頻度が高い印字データを１面目の表示画面として前記表示部に表示することを特徴とするインクジェット記録装置。
【請求項５】
請求項１に記載のインクジェット記録装置であって、
前記制御部は、前記データ読取装置で読み取った情報を元に、識別された対象者の使用頻度が高い機能及び設定項目を１面目の表示画面として前記表示部に表示することを特徴とするインクジェット記録装置。
【請求項６】
請求項１に記載のインクジェット記録装置であって、
前記制御部は、前記データ読取装置で読み取った情報を元に、識別された対象者により使用可能な機能及び選択可能な印字データが制限されるように制御することを特徴とするインクジェット記録装置。
【請求項７】
請求項１に記載のインクジェット記録装置であって、
前記制御部は、前記データ読取装置で定期的に情報の読み込みを行い、読み取った情報を元にコードを識別し、識別されたコードで前記表示部の表示を行い、前記識別されたコードが識別できなくなった場合に前記表示部の表示を消灯することを特徴とするインクジェット記録装置。
【請求項８】
インクを噴出して印字を行うインクジェット記録装置であって、
印字データと印字条件設定値を表示する表示部と、
外部記憶媒体から情報を読み取るデータ読取装置を有し、
前記表示部は、前記データ読取装置で読み取った情報を元に識別された利用者が前回インクジェット記録装置を動作させた時に編集していた印字データと、識別された利用者が使用していた印刷条件を表示する表示画面を有することを特徴とするインクジェット記録装置。
【請求項９】
請求項８に記載のインクジェット記録装置であって、
前記表示部は、前記データ読取装置で読み取った情報を元に、識別された対象者により使用可能な機能及び、選択可能な印字データが制限される表示画面を有することをすることを特徴とするインクジェット記録装置。
【発明の詳細な説明】
【技術分野】
【０００１】
本発明は、帯電制御方式のインクジェット記録装置に係り、印字データや印刷条件設定値の制御に関する。
【背景技術】
【０００２】
従来のインクジェット記録装置においては、印字データや、印字環境により最適な印字となるような印字条件設定値を、使用者がパネル操作により、インクジェット記録装置内のメモリに予め保存されているデータの読み出しを行い印字データに反映していた。しかし、装置内に印字データが複数登録されている場合や、使用者が機器の操作に不慣れな場合など、特定のデータを検索することが難しく、印字データの読み出し誤りや印字条件の設定誤りにより、対象ワークに誤った印字を行いワークのロスとともに、設定変更によるダウンタイム時間が発生することがあった。また、印字条件の設定値を設定する手間が必要であり、装置稼働までの準備時間がかかることがある。
【０００３】
本技術分野の背景技術として、例えば、特開２００３−７２０８２号公報（特許文献1）がある。特許文献1には、インクジェット記録装置における印字仕様の変更を容易にするために、タッチ入力式表示パネルを制御する入力制御プログラムを着脱自在な記憶媒体であるメモリカードに格納して本体に交換可能に装着する構成が開示されている。
【先行技術文献】
【特許文献】
【０００４】
【特許文献１】特開２００３−７２０８２号公報
【発明の概要】
【発明が解決しようとする課題】
【０００５】
特許文献１は、印字仕様の変更に応じて、メモリカードを交換する必要があり、さらに印字仕様の変更に応じたメモリカードの管理が煩雑となるという問題がある。
【０００６】
本発明の目的は、使用者固有の印字データと印字条件設定を簡単な構成で設定できるインクジェット記録装置を提供することである。
【課題を解決するための手段】
【０００７】
上記課題を解決するために、本発明は、その一例を挙げるならば、インクを噴出して粒子化するノズルと、インク粒子に帯電電圧を掛けて帯電させる帯電電極と、帯電したインク粒子を偏向させる偏向電極と、印字に使用しないインク粒子を回収するガターを有する印字ヘッドと、印字データと印字条件設定値を記憶する記憶部と、印字データと印字条件設定値を表示する表示部と、外部記憶媒体から通信手段により情報を読み取るデータ読取装置と、記憶部から読み出した印字データと印字条件設定値に基づき印字ヘッドで対象物に印字を行うように制御する制御部を有するインクジェット記録装置であって、制御部は、データ読取装置で読み取った情報を元に利用者を識別し、識別された利用者固有の印字データと印字条件となるように記憶部からデータを読み出し制御する構成とした。
【発明の効果】
【０００８】
本発明によれば、外部記憶媒体から通信手段を使い読み込んだデータをもとに使用者固有の印字データと印字条件設定値となるよう制御することで印字開始までの一連の作業が簡潔にできる。
【図面の簡単な説明】
【０００９】
【図１】実施例１におけるインクジェット記録装置の外観斜視図である。
【図２】実施例１におけるインクジェット記録装置の全体構成のシステムブロック図である。
【図３】実施例１における制御装置において実行される制御プログラムの機能構成概略図である。
【図４】実施例１における読込み情報をもとに設定値内容と表示内容の変更をする場合の制御フロー図である。
【図５】実施例１における設定値内容と表示内容の変更をした場合の画面表示例である。
【図６】実施例２における前回編集時の印字内容を表示する場合と最終印字条件設定値を表示する場合の制御フロー図である。
【図７】実施例２における前回編集時の印字内容を表示する場合と最終印字条件設定値を表示する場合の画面表示例である。
【図８】実施例３における使用頻度が高い印字内容を表示する場合の制御フロー図である。
【図９】実施例３におけるインクジェット記録装置内に登録されている印字データを使用回数順に表示する場合の印字データ表示例である。
【図１０】実施例３における使用回数が多い印字データを１面目に表示した場合の画面表示例である。
【図１１】実施例４における機能制限があるＩＤでインクジェット記録装置で立ち上げた場合の制御フロー図である。
【図１２】実施例４における選択不可機能を表示した場合の画面表示例である。
【図１３】実施例５における識別されたコードで表示部の立上げを実施し、識別できなくなった場合に表示を消すときの制御フロー図である。
【発明を実施するための形態】
【００１０】
以下、本発明の実施例につき、図面を用いて説明する。
【実施例１】
【００１１】
図１は、本実施例におけるインクジェット記録装置の外観斜視図である。図１において、インクジェット記録装置本体１は、インクジェット記録装置本体の外面上部に配置した表示パネル３を持ち、印字ヘッド２を外部に備え、インクジェット記録装置本体１と印字ヘッド２の間は導管４で接続された構成である。
【００１２】
図２は、本実施例におけるインクジェット記録装置の全体構成のシステムブロック図である。図２において、制御装置０２は、インクジェット記録装置０１全体の制御を行う制御部であり、例えば、ＭＰＵ（Ｍｉｃｒｏ Ｐｒｏｃｅｓｓｉｎｇ Ｕｎｉｔ）である。また制御装置０２は、バスを介して、プログラム格納装置０３、メモリ０４、表示装置０５、タッチパネル０６、入力装置０８、データ読込み装置０９、エンコーダ信号検知装置１０、被印字物検知装置１１、偏向電圧発生装置１２、印字用帯電電圧発生装置１３、励振電圧発生装置１４、異常検知回路１５、搬送制御用信号回路１６、供給ポンプ２３、回収ポンプ３２と接続している。
【００１３】
プログラム格納装置０３は、制御装置０２において実行される制御プログラム、インクジェット記録装置０１を動作させるために必要なデータ及び、表示用データをあらかじめ記憶している装置である。
【００１４】
メモリ０４は記憶部であり、プログラム実行領域とデータ記憶領域に分割されて利用される。プログラム実行領域は、制御装置０２により呼び出されたプログラム格納装置０３に記憶された制御プログラムを実行する領域である。データ記憶領域は、使用者が作成したデータおよび印字する文字列である印字データを記憶する領域である。
【００１５】
表示装置０５は、プログラム格納装置０３に記憶された表示用データを表示する形式に変換して表示する表示部である。使用者は表示装置０５に表示された画面により、インクジェット記録装置０１の状態などを認識する。
【００１６】
タッチパネル０６は、表示装置０５に重ねて設置されており、使用者がその表面にタッチした時、タッチした位置に対応した電圧値を出力する装置である。制御装置０２はこの電圧値を読み取ることにより、タッチされた位置座標を検出する。使用者がタッチパネル０６を介して表示装置０５に表示されたアイコンやボタンにタッチすることにより、制御装置０２はタッチした位置座標より使用者の入力を判定し、対応したプログラムをプログラム格納装置０３より呼び出して実行する。
【００１７】
入力装置０８は、使用者がインクジェット記録装置０１を操作する際に使用する操作部分であり、インクジェット記録装置０１の電源のオン／オフを切り替える電源ボタン０７から構成される。本ブロック図では入力装置として電源ボタンのみを示しているが、これはボタンの数を限定するものではない。また必要に応じて数字や文字を入力するためのキーボードやテンキーを搭載することも可能である。
【００１８】
データ読込み装置０９は、ＩＣタグやＩＣカードなどの外部記憶媒体から無線通信等の通信手段を用いて情報を読み取るデータ読取装置である。外部記憶媒体には、例えば、利用者ＩＤの情報が記憶されており、その情報を読み取ることで利用者を特定することができる。
【００１９】
インクタンク２１は、被印字物３５への印字に用いるインク２２を貯蔵するための装置である。インクタンク２１内のインク２２は、制御装置０２からの命令により作動する供給ポンプ２３で加圧されることにより、インク供給用配管２４を通りノズル２５に供給される。
【００２０】
ノズル２５は、インクタンク２１より供給されるインク２２を噴出する装置である。また、ノズル２５には電気的信号を機械的信号に変換する圧電素子２６が取り付けられており、励振電圧発生装置１４で発生された励振電圧信号を圧電素子２６に印加することにより、ノズル２５から噴出されるインク２２を粒子化し、インク粒子２７にする。
【００２１】
噴出されたインク粒子２７は、コの字状の帯電電極２８の間を通過する。帯電電極２８には、印字用帯電電圧発生装置１３で発生された印字する文字情報に対応した帯電電圧が印加される。インク粒子２７は帯電電極２８の間を通過する際に印加された帯電電圧により帯電される。更に、帯電電極２８の間を通過したインク粒子２７は、偏向電極２９の間を通過する。偏向電極２９には、偏向電圧発生装置１２で発生された偏向電圧が印加される。インク粒子２７は偏向電圧により形成された偏向電界を通過する際に帯電量に応じて偏向され、偏向されたインク粒子２７は被印字物３５に印字される。
【００２２】
インク回収口３０は、印字に使用しないインク粒子２７を回収するためのものである。インク回収口３０より回収されたインク粒子２７は、制御装置０２からの命令により作動する回収ポンプ３２で吸引されることにより、インク回収用配管３１を通り、インクタンク２１に戻される。
【００２３】
被印字物搬送装置３４は、インクジェット記録装置０１が印字する被印字物３５を所定の速度で搬送する装置であり、その搬送方向は前記インク粒子２７の偏向方向と直交する方向となる。エンコーダ３６は、被印字物搬送装置３４の搬送速度に同期した信号を出力し、エンコーダ信号検知装置１０に入力される。
【００２４】
被印字物センサ３３は、前記被印字物搬送装置３４で搬送される被印字物３５を検知する装置であり、被印字物３５を検知すると、被印字物検知装置１１に被印字物検知信号を送信する。
【００２５】
被印字物検知装置１１は、被印字物センサ３３から送信された被印字物検知信号を制御装置０２に送信する装置である。制御装置０２は被印字物検知信号を受信すると、被印字物３５がインクジェット記録装置０１の印字領域に到着したことを検知する。制御装置０２は被印字物３５が印字領域に到達したことを検知すると、被印字物３５への印字を行うための処理を開始し、メモリ０４に格納されている印字文字列を印字用帯電電圧発生装置１３にバスを介して送信する。同時に、制御装置０２は、帯電電極２８に帯電電圧を印加するタイミングをエンコーダ信号検知装置１０から入力された被印字物搬送装置３４の搬送速度に同期した信号に従って実施する。
【００２６】
インクレベル検知センサ３７は、ノズル２５に供給するインクタンク２１内のインク量が印字が継続できる適正レベル以上あるかを検出するセンサである。印字によってインクが消費されインクタンク２１内のインク量が適正レベルを下回ると、インクレベル検知センサ３７から異常検知回路１５にインク量低下の信号が入力されバスを介して制御装置０２通知される。制御装置０２はインク量低下を受けて印字を中断し、搬送制御用信号回路１６に被印字物搬送装置３４を停止する指示を行い、インクジェット記録装置０１を異常状態に状態遷移して、表示装置０５に異常状態をプログラム格納装置０３に記憶された表示用データを使用して表示する。被印字物搬送装置３４は搬送停止信号を受けて停止する。また制御装置０２は、印字文字列のどこまで印字用帯電電圧発生装置１３に送信したかをメモリ０４に記憶する。
【００２７】
インクタンク２１にインクが充填されると、制御装置０２は、インクレベル検知センサ３７を介してインク量低下状態が解消されたとし、異常状態を解除する。インクジェット記録装置０１が、再び印字できる状態となったとき制御装置０２はメモリ０４に記憶している印字文字列の続きから印字を再開する。
【００２８】
図３は、本実施例における制御装置において実行される制御プログラムの機能構成概略図である。図３において、主な処理としては、記憶内容の読み出し書込みを行う記憶処理部、ＩＣタグなどから情報を読み込みするデータ読込部、読み込みデータを基に表示内容の変更を行う表示内容制御部、表示用データを表示装置に表示する表示処理部を有する。
【００２９】
次に、図４の読込み情報をもとに設定値内容と表示内容の変更をする場合の制御フロー図を用い、ＩＣタグやＩＣカードなどの外部記憶媒体からの読み込み情報をもとに使用者固有の設定条件となるように制御する処理について説明する。まず、ステップ１０１で外部記憶媒体から、データ読込み装置０９を介してデータの読込みを行う。読み込んだ情報をもとにステップ１０２で識別コードの解析を行う。識別コードが対象ユーザか判別を行い（ステップ１０３）、対象時は印字データの読込み処理（ステップ１０４）、印字条件設定値読込み処理（ステップ１０５）を行う。読み込んだ印字データと印字条件設定値データを元に表示データの作成を行い、ステップ１０６の表示処理を行うことで、表示装置に印字データと印字条件設定値を表示する。
【００３０】
図５に、本実施例における設定値内容と表示内容の変更をした場合の画面表示例を示す。図５に示すように、表示装置に、印字データと、印字設定値内容を表示する。図５においては、印字設定値内容として、印字設定Ａ〜Ｅを示しているが、それらは、例えば、文字高さ、文字幅、印字周期、印字の書き出し位置、印字モードなどの印字するための条件設定値である。
【００３１】
以上のように、本実施例は、インクを噴出して粒子化するノズルと、インク粒子に帯電電圧を掛けて帯電させる帯電電極と、帯電したインク粒子を偏向させる偏向電極と、印字に使用しないインク粒子を回収するガターを有する印字ヘッドと、印字データと印字条件設定値を記憶する記憶部と、印字データと印字条件設定値を表示する表示部と、外部記憶媒体から通信手段により情報を読み取るデータ読取装置と、記憶部から読み出した印字データと印字条件設定値に基づき印字ヘッドで対象物に印字を行うように制御する制御部を有するインクジェット記録装置であって、制御部は、データ読取装置で読み取った情報を元に利用者を識別し、識別された利用者固有の印字データと印字条件となるように記憶部からデータを読み出し制御する構成とした。
【００３２】
本実施例によれば、外部記憶媒体から通信手段を使い読み込んだデータをもとに使用者固有の印字データと印字条件設定値となるよう制御することで印字開始までの一連の作業が簡潔にできる。
【実施例２】
【００３３】
本実施例は、外部記憶媒体から読み込んだデータをもとに前回編集時の印字内容と印字条件設定値を表示する例について説明する。
【００３４】
図６は、本実施例における、前回編集時の印字内容を表示する場合と最終印字条件設定値を表示する場合の制御フロー図である。図６において、識別コード読込み処理Ｓ２０１、識別コード解析処理Ｓ２０２、対象ユーザ判定Ｓ２０３までは、図４の読込み情報をもとに設定値内容と表示内容の変更したときの制御フロー図のＳ１０１からＳ１０３と同じ処理を実施する。ステップ２０４で、インクジェット記録装置を立ち上げたＩＣカードなどの外部記憶媒体に登録されている使用者ＩＤで印字データの編集を実施したか判定する。印字データ編集を実施した履歴がある場合は、ステップ２０５で前回編集した印字データの読込み処理を行う。印字データ編集の履歴が無い場合は、他の使用者ＩＤで編集していた情報や装置固有の初期印字データを装置設定に基づいた通常印字データの読込み処理（ステップ２０９）を行う。次に、ステップ２０６でインクジェット記録装置を立ち上げた使用者ＩＤで印字条件設定値の変更履歴があるか判定する。印字条件設定値の変更履歴がある場合は、ステップ２０７の印字条件設定値の最終設定値読込み処理を行い、前回使用時と同じ印字条件設定値を設定する。印字条件設定値の変更履歴がない場合は、ステップ２１０で別の使用者ＩＤでインクジェット記録装置を立ち上げて設定した印字条件設定値や装置固有の初期印字条件設定値など装置設定に基づいた印字条件設定値の読込み処理を行う。印字条件設定値の読込み処理終了後、ステップ２０８で印字データと印字条件設定値の表示データの作成及び、表示処理を行い表示装置へデータを出力する。
【００３５】
図７に前回編集時の印字内容を表示する場合と最終印字条件設定値を表示する場合の画面表示例を示す。図７に示すように、最終使用時に編集していた印字データが通常時の文字サイズより大きいデータを使用していた場合など、印字データを編集しなくともそのまま使用できることになる。
【００３６】
以上のように、本実施例は、データ読取装置で読み取った情報を元に、識別された利用者が前回インクジェット記録装置を動作させた時に編集していた印字データを表示するようにした。また、データ読取装置で読み取った情報を元に、識別された利用者が使用していた印刷条件を設定するようにした。
【００３７】
また、インクを噴出して印字を行うインクジェット記録装置であって、印字データと印字条件設定値を表示する表示部と、外部記憶媒体から情報を読み取るデータ読取装置を有し、表示部は、データ読取装置で読み取った情報を元に識別された利用者が前回インクジェット記録装置を動作させた時に編集していた印字データと、識別された利用者が使用していた印刷条件を表示する表示画面を有するように構成する。
【００３８】
これにより、使用者固有の印字データと印字条件設定を簡単な構成で設定できるインクジェット記録装置を提供することができる。
【実施例３】
【００３９】
本実施例は、外部記憶媒体から読み込んだデータをもとに使用頻度が高い印字内容を表示する例について説明する。
【００４０】
図８は、本実施例における、使用頻度が高い印字内容を表示する場合の制御フロー図である。図８において、識別コードの読込み処理Ｓ３０１、識別コードの解析処理Ｓ３０２、対象ユーザ判定処理Ｓ３０３、印字データ読込み処理Ｓ３０４、印字条件設定読込み処理Ｓ３０５を、図４の読込み情報をもとに設定値内容と表示内容の変更したときの制御フローのＳ１０１からＳ１０５と同じように実施する。ステップ３０６で印字データの使用回数が最大値か判定する。読み込みした印字データで使用回数が一番多い場合は、ステップ３０７で使用回数を一時的にインクジェット記録装置内のメモリ内に記憶する使用回数記憶処理を行う。続いて印字データの読込みが終了したかステップ３０８で判定し、印字データの読込み処理が完了した場合に、ステップ３０９で使用回数が最大の印字データが表示されるように表示データ作成及び、表示処理を行う。
【００４１】
図９は、インクジェット記録装置内に登録されている印字データを使用回数順に表示している表示例である。また、図１０は、使用回数が多い印字データを１面目に表示した場合の画面表示例である。
【００４２】
なお、上記は、使用頻度が高い印字データを１面目の表示画面として表示部に表示する点について説明したが、識別された対象者の使用頻度が高い機能及び印字条件設定項目を１面目の表示画面として表示部に表示しても良い。ここで、機能とは、例えば、印字機能、編集機能、バーコード作成機能、カレンダー機能等である。
【００４３】
以上のように、本実施例は、データ読取装置で読み取った情報を元に、識別された対象者の使用頻度が高い印字データ、もしくは、機能及び設定項目を１面目の表示画面として表示部に表示する。これにより、使用者固有の印字データと印字条件設定を簡単な構成で設定できるインクジェット記録装置を提供することができる。
【実施例４】
【００４４】
本実施例は、外部記憶媒体から読み込んだデータをもとに機能制限がある使用者ＩＤでインクジェット記録装置を立ち上げた場合の例について説明する。
【００４５】
図１１は、本実施例における、機能制限がある使用者ＩＤでインクジェット記録装置を立ち上げた場合の制御フローである。図１１において、識別コード読込み処理Ｓ４０１、識別コード解析処理Ｓ４０２、対象ユーザ判定処理Ｓ４０３は、図４の読込み情報をもとに設定値内容と表示内容の変更したときの制御フローのＳ１０１からＳ１０３と同じである。ステップ４０４で、インクジェット記録装置を立ち上げたＩＣカードなどの記憶媒体に登録されている使用者ＩＤが、インクジェット記録装置の機能の制限があるか使用者ＩＤ情報をもとに判定する。機能制限がある場合は、ステップ４０５で、制限される機能の設定処理と表示上選択できないように設定する表示データマスク処理を行いユーザが指定できないように設定する。機能制限がないユーザに関しては、ステップ４０６の印字条件設定値読込み処理を実施し、表示データの作成及び、表示処理をステップ４０７で実施する。このように、例えば、特定の作業者に機能制限を設けることで、管理者以外は変更できないようにすることで誤作動を防止することができる。
【００４６】
図１２の選択不可機能を表示した場合の画面表示例のように、インクジェット記録装置を立ち上げた使用者ＩＤでは、操作できない機能をマスク表示する（図１２においては、印字設定Ｂ，Ｃがマスクされている）ことで、印字条件の誤設定を防止でき、印字品質を保つことができる。
【００４７】
以上のように、本実施例は、制御部が、データ読取装置で読み取った情報を元に、識別された対象者により使用可能な機能及び選択可能な印字データが制限されるように制御する。また、表示部は、データ読取装置で読み取った情報を元に、識別された対象者により使用可能な機能及び、選択可能な印字データが制限される表示画面を有する。これにより、印字条件の誤設定を防止でき、印字品質を保つことができるという効果がある。
【実施例５】
【００４８】
本実施例は、外部記憶媒体から読み込んだデータをもとに表示部を制御する例について説明する。
【００４９】
図１３は、本実施例における、識別されたコードで表示部の立上げを実施し、識別できなくなった場合に表示を消す、制御フローである。図１３において、まず、ＩＣカードなどの記憶媒体をインクジェット記録装置にかざすことで使用者ＩＤを認識し、インクジェット記録装置が立ち上がる。一度立ち上げたインクジェット記録装置では、ステップ５０１の識別コード読込み処理が一定周期毎に実施され、使用者ＩＤの判別を行う（ステップ５０２）。インクジェット記録装置を立ち上げた使用者ＩＤであれば、装置はそのまま使用可能だが、別の使用者ＩＤが認識された場合は、ステップ５０４で表示内容が識別された使用者ＩＤ用に変更され、表示内容が切り替えられる。使用者ＩＤの識別ができない場合は、ステップ５０５で識別コードが読み込めたか判定し、使用者ＩＤが読み込めない場合は、インクジェット記録装置付近に使用者がいないと判定し、表示装置の表示を消灯することで、消費電力を抑えることができる（ステップ５０６）。識別コードが読み込めたが認識できない場合はステップ５０７で読み取り装置などが異常で認識できないと判定し、異常処理を実施してメッセージを表示し終了する。
【００５０】
以上のように、本実施例は、制御部が、データ読取装置で定期的に情報の読み込みを行い、読み取った情報を元にコードを識別し、識別されたコードで表示部の表示を行い、識別されたコードが識別できなくなった場合に表示部の表示を消灯するように制御する。これにより、消費電力を抑えることができるという効果がある。
【００５１】
以上実施例について説明したが、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【００５２】
１…インクジェット記録装置本体、２…印字ヘッド、３…表示パネル、４…導管、０１…インクジェット記録装置、０２…制御装置、０３…プログラム格納装置、０４…メモリ、０５…表示装置、０６…タッチパネル、０７…電源ボタン、０８…入力装置、０９…データ読込み装置、１０…エンコーダ信号検知装置、１１…被印字物検知装置、１２…偏向電圧発生装置、１３…印字用帯電電圧発生装置、１４…励振電圧発生装置、１５異常検知回路、１６…搬送制御用信号回路、２１…インクタンク、２２…インク、２３…供給ポンプ、２４…インク供給用配管、２５…ノズル、２６…圧電素子、２７…インク粒子、２８…帯電電極、２９…偏向電極、３０…インク回収口、３１…インク回収用配管、３２…回収ポンプ、３３…被印字物センサ、３４…被印字物搬送装置、３５…被印字物、３６…エンコーダ、３７…インクレベル検知センサ
【図１】
2017052172.tif 000003
【図２】
2017052172.tif 000004
【図３】
2017052172.tif 000005
【図４】
2017052172.tif 000006
【図５】
2017052172.tif 000007
【図６】
2017052172.tif 000008
【図７】
2017052172.tif 000009
【図８】
2017052172.tif 000010
【図９】
2017052172.tif 000011
【図１０】
2017052172.tif 000012
【図１１】
2017052172.tif 000013
【図１２】
2017052172.tif 000014
【図１３】
2017052172.tif 000015